(57)【要約】【課題】被覆径の異なる多数種の光ファイバを用いても、ファイバクランプにより裸光ファイバをきちんと把持でき、融着接続作業の煩雑さを解消でき、ガタの無いスムーズな移動による高さ調整を行う。【解決手段】光ファイバ把持装置は、光ファイバの被覆部分６を保持する被覆クランプ台及び被覆クランプ７と、光ファイバの裸ファイバ１をＶ溝２内に押し付けて把持するＶ溝台３及びファイバクランプ１と、被覆クランプ台を移動させて、裸ファイバ１をＶ溝２内に沿って滑らせながら送る送り機構とを有する。被覆クランプ台は、クランプ台１６と、クランプ台１６を回転軸１７を介して回転自在に支持し、送り機構によりスライド可能に接続されるスライド台１５と、スライド台１５に対してクランプ台１６を回転軸１７を中心に回転させて、光ファイバ把持部先端をＶ溝２に対して上下に移動させる高さ調整機構としての偏心カム１８とを備える。【選択図】  図１
2005326457.tif 000002
【特許請求の範囲】
【請求項１】
光ファイバの被覆部分を水平方向に対して傾斜するように把持する、対をなす被覆クランプ台と被覆クランプと、
この対をなす被覆クランプ台と被覆クランプの前方に位置して光ファイバの被覆が除去された裸ファイバ或いは光ファイバの被覆部分を載置して把持する、対をなすＶ溝台とファイバクランプと、
前記Ｖ溝台のＶ溝の方向に移動自在であって、その上面に前記被覆クランプ台が取り付けられるスライド台と、
前記被覆クランプ台を前記Ｖ溝台に対して上下動させる高さ調整機構とを備えてなることを特徴とする光ファイバ把持装置。
【請求項２】
高さ調整機構が、前記スライド台上面に設けられた、前記被覆クランプ台の前記Ｖ溝台とは反対側の端部を支点として回転可能に支持する手段と、
前記被覆クランプ台の前記Ｖ溝台と対向する端部を上下動させる手段とからなることを特徴とする請求項１記載の光ファイバ把持装置。
【請求項３】
被覆クランプ台の前記Ｖ溝台と対向する端部を上下動させる手段が、偏心カムもしくはネジであることを特徴とする請求項２記載の光ファイバ把持装置。
【請求項４】
光ファイバの被覆部分を挟み込んで水平方向に対して傾斜するように保持するファイバホルダと、
このファイバホルダを載置して固定するファイバホルダ台と、このファイバホルダ台の前方に位置して光ファイバの被覆が除去された裸ファイバ或いは光ファイバの被覆部分を載置して把持する、対をなすＶ溝台とファイバクランプと、
前記Ｖ溝台のＶ溝の方向に移動自在であって、その上面に前記ファイバホルダ台が取り付けられるスライド台と、
前記ファイバホルダ台を前記Ｖ溝台に対して上下動させる高さ調整機構とを備えてなることを特徴とする光ファイバ把持装置。
【請求項５】
高さ調整機構が、前記スライド台上面に設けられた、前記ファイバホルダ台を前記Ｖ溝とは反対側の端部を支点として回転可能に支持する手段と、
前記被覆クランプ台の前記Ｖ溝台と対向する端部を上下動させる手段とからなることを特徴とする請求項４記載の光ファイバ把持装置。
【請求項６】
ファイバホルダ台の前記Ｖ溝台と対向する端部を上下動させる手段が、偏心カムもしくはネジであることを特徴とする請求項５記載の光ファイバ把持装置。
【請求項７】
Ｖ溝台が前記スライド台に固定されてなることを特徴とする請求項１〜６記載の光ファイバ把持装置。
【請求項８】
請求項１〜７のいずれかに記載の光ファイバ把持装置を備えてなることを特徴とする光ファイバ融着接続装置。
【発明の詳細な説明】
【技術分野】
【０００１】
本発明は、光ファイバ把持装置及び光ファイバ融着接続機に係り、とくに光ファイバを前進後退させる送りの部分に関する。
【背景技術】
【０００２】
光ファイバ融着接続機は、互いに対向配置される２つの光ファイバ把持装置を有し、両光ファイバ把持装置により接続対象となる２つの光ファイバを保持した状態で、それぞれの被覆部分の先端側で所定長さ分露出させた裸ファイバ部分をその光ファイバの軸方向に前進させて送り込み、このようにして２つの光ファイバ把持装置からそれぞれ送り込まれた２つの裸ファイバ部分同士を融着することで、２つの光ファイバを互いに接続するものである。以下、従来例の光ファイバ融着接続機について説明する。
【０００３】
（従来例１）
図６は、従来例１の光ファイバ融着接続機において、光ファイバを保持しかつ前後に送る部分、即ち光ファイバ把持装置の構造を示す（特許文献１参照）。
【０００４】
図６において、６は光ファイバの被覆部分、１はその先端側で所定長さ分露出させた裸ファイバ１である。５は光ファイバ把持装置の中央側に配置される被覆クランプ台、７は被覆クランプ台５と共に光ファイバ把持部を成す被覆クランプである。被覆クランプ台５は、その上面が前下がりに傾斜している。光ファイバの被覆部分６は、被覆クランプ台５の上面に載せられ、その上側から被覆クランプ７により押し付けて把持される。
【０００５】
また、３は光ファイバ把持装置の前側に配置されるＶ溝台、２はそのＶ溝台３に光ファイバの軸方向に沿って形成されるＶ溝、４はＶ溝台３と対を成すファイバクランプである。光ファイバの裸ファイバ１は、Ｖ溝２内に傾斜した状態で送り込まれ、ファイバ自身の弾性によりＶ溝２の内壁側に押し付けられ、この状態で、Ｖ溝２内に入っている裸ファイバ１あるいは被覆部分６が、ファイバクランプ４により把持される。
【０００６】
さらに、９は光ファイバ融着接続機本体に固定されるブラケット、８はブラケット９及び被覆クランプ台５間に配置されるスライドベアリング、１３はモータ、１２はモータ１３の駆動軸に連結されるギア列、１１はギア列に接続されるマイクロメータヘッド、１０はマイクロメータヘッドの先端側に位置するブラケット９及び被覆クランプ台５間に伸縮自在に配置されるバネをそれぞれ示す。
【０００７】
被覆クランプ台５は、スライドベアリング８を介して、ブラケット９により、前後に移動できるように支持され、バネ１０により常に後方に押されている。この状態で、モータ１３が回転すると、ギア列１２およびマイクロメータヘッド１１を介して、被覆クランプ台５が前後に移動する。被覆クランプ台５が前進すると、その上に把持されている光ファイバの被覆部分６も前方へ送られ、その裸ファイバ１がＶ溝２内を滑りながら前進する。従来例１では、光ファイバの送り込み方向を図中の矢印１４に示すように傾斜させることにより、Ｖ溝２内における裸ファイバ１の動きがスムーズになっている。
【０００８】
（従来例２）
上記従来例１の光ファイバ融着接続機では、被覆クランプ台５の高さはＶ溝２に対して最適でなければ、裸ファイバ１をＶ溝２内にしっかりと押さえつけることができない。即ち、光ファイバの被覆部分６の直径が変わると、被覆クランプ台５の高さがＶ溝２に対して最適でなくなり、Ｖ溝２内での裸ファイバの軸がずれてしまい、裸ファイバ１が滑らかに前進できなくなる。
【０００９】
そこで、図７に示す従来例２の光ファイバ融着接続機では、被覆クランプ台５の一部を交換できるようにしている。即ち、図７において、上述の被覆クランプ台を被覆把持部３２とスライド台３１に分割し、被覆径に合わせて被覆把持部３２を交換し、Ｖ溝２に対する高さを合わせることが可能となっている。その他の構成は、図６の例と同様である。
【００１０】
（従来例３）
従来例３の光ファイバ融着接続機では、被覆クランプ台内にある傾斜した部材を左右方向に移動させることにより、クランプ面を垂直に移動させ、被覆クランプ台の高さをＶ溝に対して最適にするものである（特許文献２参照）。
【特許文献１】特許第２９２２６１９号公報
【特許文献２】特開２００３−１９５０９０号公報
【発明の開示】
【発明が解決しようとする課題】
【００１１】
しかしながら、上述した従来例１〜３では、以下の問題点があった。
【００１２】
（１）従来例１では、被覆クランプ台５の高さはＶ溝２に対して最適でなければならないが、光ファイバの被覆部分６の直径（被覆径）が変わると、被覆クランプ台５の高さがＶ溝２に対して最適でなくなる。このことを図８（ａ）〜（ｃ）を参照して説明する。
【００１３】
図８（ａ）〜（ｃ）は、裸光ファイバ１、Ｖ溝２、及びファイバクランプ４の位置関係を示した図である。
【００１４】
図８（ａ）に示す被覆径の光ファイバの場合、被覆クランプ台５の高さがＶ溝２に対して最適な状態であり、裸光ファイバ１がファイバ自身の弾性によりＶ溝２に押し付けられ、ファイバクランプ４が裸光ファイバ１をきちんと把持できている。
【００１５】
しかし、図８（ｂ）に示すように光ファイバの被覆径が太くなると、ファイバの中心位置が高くなり、ファイバクランプ４の後端が浮き上がってしまう。そのため、ファイバクランプ４がしっかりと裸ファイバ１を押さえきれず、軸ずれを起こしやすくなる。また、裸ファイバ１のＶ溝２内での滑らかな前進ができなくなる。
【００１６】
また、図８（ｃ）に示すように光ファイバの被覆径が細くなると、ファイバの中心位置が低くなり、Ｖ溝２の後端に裸ファイバ１が押し付けられ、裸ファイバ１の先端がＶ溝２から浮き上がってしまい、ファイバクランプ４も浮き上がってしまう。そのため、ファイバクランプ４がしっかりと裸ファイバ１を押さえきれず、軸ずれを起こしやすい。また、裸ファイバ１のＶ溝２内で滑らかな前進ができなくなる。
【００１７】
（２）従来例２では、被覆クランプ台５を被覆把持部３２とスライド台３１に分割し、被覆径に合わせて被覆把持部３２を交換し、Ｖ溝２に対する高さを合わせている。被覆径の異なる多数種の光ファイバに対して、融着接続を行う場合は、部品交換が必要になり、融着接続作業が煩雑化してしまうという問題がある。
【００１８】
（３）従来例３では、被覆クランプ台内にある傾斜した部材を左右方向に移動させているが、その際、傾斜した面を滑らすので、傾斜した面の摩擦力が大きいと、滑らかな動きをしなかったり、引っ掛かって動作しなかったりするという問題がある。滑らかに動作させるには、摺動面に潤滑油を塗布したり、低摩擦材を固定するなどをする必要がある。また、クランプ面を垂直に移動させるためのガイドとの隙間があるため、クランプ台のガタが発生しやすいという問題もある。クランプ台のガタが発生すると、Ｖ溝に対して最適な位置を保持できない。
【００１９】
本発明は、上述した従来例の問題を解決するためになされたもので、被覆径の異なる多数種の光ファイバを用いても、ファイバクランプにより裸光ファイバをきちんと把持でき、軸ずれを起こさず、裸ファイバのＶ溝内で滑らかな前進ができ、部品交換による融着接続作業の煩雑さを解消でき、ガタの無いスムーズな移動による高さ調整を行える光ファイバ把持装置及び光ファイバ融着接続機を提供するものである。
【課題を解決するための手段】
【００２０】
上記目的を達成するため、請求項１記載の発明に係る光ファイバ把持装置は、光ファイバの被覆部分を水平方向に対して傾斜するように把持する、対をなす被覆クランプ台と被覆クランプと、この対をなす被覆クランプ台と被覆クランプの前方に位置して光ファイバの被覆が除去された裸ファイバ或いは光ファイバの被覆部分を載置して把持する、対をなすＶ溝台とファイバクランプと、
前記Ｖ溝台のＶ溝の方向に移動自在であって、その上面に前記被覆クランプ台が取り付けられるスライド台と、前記被覆クランプ台を前記Ｖ溝台に対して上下動させる高さ調整機構とを備えてなることを特徴とする。
【００２１】
請求項２記載の発明に係る光ファイバ把持装置は、請求項１記載の光ファイバ把持装置において、高さ調整機構が、前記スライド台上面に設けられた、前記被覆クランプ台の前記Ｖ溝台とは反対側の端部を支点として回転可能に支持する手段と、前記被覆クランプ台の前記Ｖ溝台と対向する端部を上下動させる手段とからなることを特徴とする。
【００２２】
請求項３記載の発明に係る光ファイバ把持装置は、請求項２記載の光ファイバ把持装置において、被覆クランプ台の前記Ｖ溝台と対向する端部を上下動させる手段が、偏心カムもしくはネジであることを特徴とする。
【００２３】
請求項４記載の発明に係る光ファイバ把持装置は、光ファイバの被覆部分を挟み込んで水平方向に対して傾斜するように保持するファイバホルダと、このファイバホルダを載置して固定するファイバホルダ台と、このファイバホルダ台の前方に位置して光ファイバの被覆が除去された裸ファイバ或いは光ファイバの被覆部分を載置して把持する、対をなすＶ溝台とファイバクランプと、前記Ｖ溝台のＶ溝の方向に移動自在であって、その上面に前記ファイバホルダ台が取り付けられるスライド台と、前記ファイバホルダ台を前記Ｖ溝台に対して上下動させる高さ調整機構とを備えてなることを特徴とする。
【００２４】
請求項５記載の発明に係る光ファイバ把持装置は、請求項４記載の光ファイバ把持装置において、高さ調整機構が、前記スライド台上面に設けられた、前記ファイバホルダ台を前記Ｖ溝とは反対側の端部を支点として回転可能に支持する手段と、前記被覆クランプ台の前記Ｖ溝台と対向する端部を上下動させる手段とからなることを特徴とする。
【００２５】
請求項６記載の発明に係る光ファイバ把持装置は、請求項５記載の光ファイバ把持装置において、ファイバホルダ台の前記Ｖ溝台と対向する端部を上下動させる手段が、偏心カムもしくはネジであることを特徴とする。
【００２６】
請求項７記載の発明に係る光ファイバ把持装置は、請求項１乃至６記載の光ファイバ把持装置において、Ｖ溝台が前記スライド台に固定されてなることを特徴とする。
【００２７】
請求項８記載の発明に係る光ファイバ把持装置は、請求項１乃至７の何れかに記載の光ファイバ把持装置において、請求項１〜７のいずれかに記載の光ファイバ把持装置を備えてなることを特徴とする。
【発明の効果】
【００２８】
請求項１記載の発明に係る光ファイバ把持装置によれば、次の効果が得られる。
【００２９】
（１）光ファイバの被覆径に合わせて、被覆クランプ台の高さを調整できるので、ファイバ自身の弾性によりＶ溝にきちんと押し付けられるようになる。その結果、Ｖ溝内でファイバがきちんと把持される。
【００３０】
（２）光ファイバの被覆径の違いによって、被覆クランプ台などの部品を交換することが無いので、被覆径の異なる多数種の光ファイバの融着接続でも煩雑な作業がなくなる。
【００３１】
請求項２記載の発明に係る光ファイバ把持装置によれば、被覆クランプ台の高さ調整機構に回転支点（回転軸）を使用しているため、ガタの無いスムーズな移動による高さ調整が可能になる。
【００３２】
請求項３記載の発明に係る光ファイバ把持装置によれば、被覆クランプ台の高さ調整機構として偏心カム又はネジを用いているため、手動又は自動によって容易に高さ調整が行える。
【００３３】
請求項４記載の発明に係る光ファイバ把持装置によれば、次の効果が得られる。
【００３４】
（１）光ファイバの被覆径に合わせて、ファイバホルダの高さを調整できるので、ファイバ自身の弾性によりＶ溝にきちんと押し付けられるようになる。その結果、Ｖ溝内でファイバがきちんと把持される。
【００３５】
（２）光ファイバの被覆径の違いによって、ファイバホルダなどの部品を交換することが無いので、被覆径の異なる多数種の光ファイバの融着接続でも煩雑な作業がなくなる。
【００３６】
請求項５記載の発明に係る光ファイバ把持装置によれば、ファイバホルダの高さ調整機構に回転支点（回転軸）を使用しているため、ガタの無いスムーズな移動による高さ調整が可能になる。
【００３７】
請求項６記載の発明に係る光ファイバ把持装置によれば、ファイバホルダの高さ調整機構として偏心カム又はネジを用いているため、手動又は自動によって容易に高さ調整が行える。
【００３８】
請求項７記載の発明に係る光ファイバ把持装置によれば、Ｖ溝台がスライド台に固定されているので、Ｖ溝内で光ファイバが滑ることがなくなる。
【００３９】
請求項８記載の発明に係る光ファイバ融着接続機によれば、上記いずれかの光ファイバ把持装置を備えているため、上記効果を有効且つ最大限に発揮させることが可能となる。
【発明を実施するための最良の形態】
【００４０】
以下、本発明に係る光ファイバ把持装置及び光ファイバ融着接続機を実施するための最良の形態を添付図面を参照して説明する。
【００４１】
（実施例１）
図１は、実施例１の光ファイバ融着接続機において、光ファイバを保持しかつ前進後退させる送りの部分、即ち光ファイバ保持装置の構造を示す。
【００４２】
図１において、６は光ファイバの被覆部分、１はその先端側で所定長さ分露出させた裸ファイバ１である。１６は光ファイバ把持装置の中央側に水平方向に対して傾斜するように配置される被覆クランプ台、７はクランプ台１６と共に光ファイバ把持部を成す被覆クランプである。被覆クランプ台１６は、その上面が前下がりに傾斜している。光ファイバの被覆部分６は、被覆クランプ台１６の上面に載せられ、その上側から被覆クランプ７により押し付けて把持される。
【００４３】
また、１７は被覆クランプ台１６に設けられる回転軸（回転支点）、１５は回転軸１７を介して被覆クランプ台１６を回転可能に支持するスライド台、１８はスライド台１５に対し被覆クランプ台１６を上下に移動させるための偏心カム、１９は圧縮コイルバネである。被覆クランプ台１６は、回転軸１７を介してスライド台１５に回転自在に取り付けられている。スライド台１５には、偏心カム１８が取り付けられており、圧縮コイルバネ１９により、被覆クランプ台１６が常に偏心カム１８に押し付けられている。偏心カム１８を図中の矢印２１に示すように回転させることにより、被覆クランプ台１６が回転軸１７を中心に図中の矢印２０に示すように上下に移動する。偏心カム１８を回転する方法としては、ダイヤルを指で回したり、モータなどのアクチュエータを用いて回転したりする方法などを例示できる。
【００４４】
また、３は光ファイバ把持装置の前側に配置されるＶ溝台、２はそのＶ溝台３に光ファイバの軸方向に沿って形成されるＶ溝、４はＶ溝台３と対を成すファイバクランプである。光ファイバの裸ファイバ１は、Ｖ溝２内に傾斜した状態で送り込まれ、ファイバ自身の弾性によりＶ溝２の内壁側に押し付けられ、この状態で、Ｖ溝２内に入っている裸ファイバ１あるいは被覆部分６が、ファイバクランプ４により把持される。
【００４５】
さらに、９は光ファイバ融着接続機本体に固定されるブラケット、８はブラケット９及び被覆クランプ台５間に配置されるスライドベアリング、１３はモータ、１２はモータ１３の駆動軸に連結されるギア列、１１はギア列に接続されるマイクロメータヘッド、１０はマイクロメータヘッドの先端側に位置するブラケット９及びスライド台１５間に伸縮自在に配置されるバネをそれぞれ示す。
【００４６】
スライド台１５は、スライドベアリング８を介して、ブラケット９により、前後に移動できるように支持され、バネ１０により常に後方に押されている。この状態で、モータ１３が回転すると、ギア列１２およびマイクロメータヘッド１１を介して、スライド台１５が前後に移動する。スライド台１５が前進すると、そのスライド台１５に回転自在に取り付けられた被覆クランプ台１６上で被覆クランプ７により把持されている光ファイバの被覆部分６も前方へ送られ、裸ファイバ１がＶ溝２内を滑りながら前進する。光ファイバの送り込み方向は、図中の矢印１４に示すように傾斜しているため、Ｖ溝２内における裸ファイバ１の動きがスムーズになっている。
【００４７】
次に、図２（ａ）〜（ｃ）を参照して、被覆径の異なる光ファイバを接続する場合を説明する。
【００４８】
まず、図２（ａ）に示す被覆径の光ファイバの場合、被覆クランプ台１６の高さがＶ溝２に対して最適な状態であり、裸光ファイバ１がファイバ自身の弾性によりＶ溝２に押し付けられ、ファイバクランプ４が裸光ファイバ１をきちんと把持できている。
【００４９】
これに対し、被覆径の異なる光ファイバを接続する場合は、被覆径に合わせて被覆クランプ台１６の高さ調整するために偏心カム１８を回転させる。
【００５０】
すなわち、図２（ｂ）に示す被覆径が太いファイバを接続する場合は、偏心カム１８を回転させ、被覆クランプ台１６を回転軸１７を中心に回転させ（図中の矢印２０ａ参照）、被覆クランプ台１６の先端を少し下に移動させる（図中の矢印２１ａ参照）。これにより、裸ファイバ１は、Ｖ溝２に傾斜して入り、ファイバ自身の弾性によりＶ溝２にきちんと押し付けられるようになる。
【００５１】
逆に、図２（ｃ）に示す被覆径が細いファイバを接続する場合は、偏心カム１８を回転させ、被覆クランプ台１６を回転軸１７中心に回転させ（図中の矢印２０ｂ参照）、被覆クランプ台１６の先端を少し上に移動させる（図中の矢印２１ｂ参照）。これにより、裸ファイバ１は、Ｖ溝２に傾斜して入り、ファイバ自身の弾性によりＶ溝２にきちんと押し付けられるようになる。
【００５２】
従って、本実施例によれば、光ファイバの被覆径に合わせて、被覆クランプ台１６の高さを調整できるので、ファイバ自身の弾性によりＶ溝にきちんと押し付けられるようになる。その結果、Ｖ溝内でファイバがきちんと把持される。
【００５３】
また、本実施例によれば、光ファイバの被覆径の違いによって、被覆クランプ台１６などの部品を交換することが無いので、被覆径の異なる多数種の光ファイバの融着接続でも煩雑な作業がなくなる。
【００５４】
さらに、本実施例によれば、被覆クランプ台１６の高さ調整機構に回転軸１７を使用しているため、ガタの無いスムーズな移動による高さ調整が可能になる。また、回転軸１７を被覆クランプ台１６の後方にすることにより、クランプ面のわずかな角度変化で、被覆クランプ台１６の先端部のみを高さ調整することができる。
【００５５】
なお、光ファイバの被覆クランプ台１６の高さを左右に対向配置される２つの光ファイバ把持装置で別々に調整することにより、被覆径の異なるファイバ同士を接続することも可能である。
【００５６】
また、本実施例において、Ｖ溝に被覆部分を載せて融着を行なう融着方法は、高強度融着接続の場合である。
【００５７】
さらに、本実施例においは、通常の光ファイバに対して融着接続する場合について説明しているが、細径ファイバの融着接続にも適用可能である。
【００５８】
（実施例２）
図３は、実施例２の光ファイバ融着接続機において、光ファイバを保持しかつ前進後退させる送りの部分、即ち光ファイバ保持装置の構造を示す。
【００５９】
図３に示す光ファイバ保持装置は、上記実施例１と比べると、光ファイバの被覆クランプ台１６の先端部が上下に移動する機構として、偏心カム１８のかわりに、送りネジ２２を備えている点が相違し、その他は同様の構成である。
【００６０】
上記被覆クランプ台１６は、その台１６に設けられた回転軸１７を介して、スライド台１５に回転自在に取り付けられている。スライド台１５には、送りネジ２２が取り付けられていて、圧縮コイルバネ１９により、被覆クランプ台１６が常に送りネジ２２に押し付けられている。送りネジ２２を回転させることにより、被覆クランプ台１６が回転軸１７を中心に矢印２０のように上下に移動する。送りネジ２２を回転する方法としては、ダイヤルを指で回したり、モータなどのアクチュエータを用いて回転したりする方法を例示できる。
【００６１】
従って、本実施例でも、上記実施例１と同様の作用効果が得られる。
【００６２】
（実施例３）
図４は、実施例３の光ファイバ融着接続機において、光ファイバを保持しかつ前進後退させる送りの部分、即ち光ファイバ保持装置の構造を示す。
【００６３】
図４に示す光ファイバ保持装置は、上記実施例１と比べると、スライド台１５にＶ溝台３が固定されていて、被覆クランプ台１６とＶ溝２が同時に前進後退するようになっている点が相違し、その他は同様の構成である。
【００６４】
本実施例によれば、スライド台１５が前進すると、それに回転自在に取り付けられている被覆クランプ台１６上に把持されている光ファイバの被覆部分６も前方へ送られ、裸ファイバ１もＶ溝台３と同時に前進するので、Ｖ溝２内で裸ファイバが滑ることが無くなる。この場合でも、Ｖ溝２に対する被覆クランプ１６の高さを最適に調整することにより、このＶ溝２に傾斜して入った裸ファイバ１は、ファイバ自身の弾性によりＶ溝２に押し付けられる。なお、被覆クランプ台１６の高さ調整方法は、図中の例では偏心カム１８を回転させる方法を例示しているが、これに限らず前述の送りネジを回転させる方法などでも適用可能である。
【００６５】
（実施例４）
図５は、実施例４の光ファイバ融着接続機において、光ファイバを保持しかつ前進後退させる送りの部分、即ち光ファイバ保持装置の構造を示す。
【００６６】
図５に示す光ファイバ保持装置は、上記実施例１と比べると、光ファイバの被覆部分６を被覆クランプ台１６に載せるのではなく、ファイバホルダ２３内に挟み込んでおき、そのファイバホルダ２３をホルダ台２４に載せるようになっている点が相違し、その他は同様の構成である。
【００６７】
本実施例によれば、ホルダ台２４の高さを調整することで、被覆径の異なるファイバに合わせて数種類のファイバホルダ２３を準備することが無くなる。また、光ファイバとして多心テープ光ファイバを用いる場合は、ファイバホルダ２３を使用して融着接続することが多いが、その場合でも、多心テープ光ファイバのテープ厚によってファイバホルダ２３先端の高さを調整することにより、Ｖ溝２にきちんと押し付けられるようになる。なお、ホルダ台２４の高さの調整方法は、図中の例では偏心カム１８を回転させる方法を例示しているが、これに限らず前述の送りネジを回転させる方法なども適用可能である。
【産業上の利用可能性】
【００６８】
以上説明したように、本発明は、光ファイバ融着接続機の光ファイバを前進後退させる送りの部分、即ち光ファイバ把持装置等に適用できる。
【図面の簡単な説明】
【００６９】
【図１】実施例１の光ファイバ融着接続機における光ファイバ保持装置の構造を示す断面図である。
【図２】（ａ）〜（ｃ）は、実施例１の被覆径の異なる光ファイバを接続する場合の説明図である。
【図３】実施例２の光ファイバ融着接続機における光ファイバ保持装置の構造を示す断面図である。
【図４】実施例３の光ファイバ融着接続機における光ファイバ保持装置の構造を示す断面図である。
【図５】実施例４の光ファイバ融着接続機における光ファイバ保持装置の構造を示す断面図である。
【図６】従来例１の光ファイバ融着接続機における光ファイバ保持装置の構造を示す断面図である。
【図７】従来例２の光ファイバ融着接続機における光ファイバ保持装置の構造を示す断面図である。
【図８】（ａ）〜（ｃ）は従来例１の被覆径の異なる光ファイバを接続する場合の説明図である。
【符号の説明】
【００７０】
１  裸ファイバ（光ファイバ）
２  Ｖ溝
３  Ｖ溝台
４  ファイバクランプ
５  被覆クランプ台
６  被覆部分（光ファイバ）
７  被覆クランプ
８  スライドベアリング
９  ブラケット
１０  バネ
１１  マイクロメータヘッド
１２  ギア列
１３  モータ
１５  スライド台
１６  被覆クランプ台
１７  回転軸
１８  偏心カム
１９  圧縮バネコイル
【図１】
2005326457.tif 000003
【図２】
2005326457.tif 000004
【図３】
2005326457.tif 000005
【図４】
2005326457.tif 000006
【図５】
2005326457.tif 000007
【図６】
2005326457.tif 000008
【図７】
2005326457.tif 000009
【図８】
2005326457.tif 000010